(57)【要約】【課題】  平坦な前面パネルに設けも違和感なく操作できて操作性がよく、デザイン性も良い加熱調理器用の操作レバーを提供する。【解決手段】  ガスコンロ１のコンロ本体１ａに設けたガスバーナ３からの熱量を調節する操作レバー８は、コンロ本体内から前面側にのびる揺動自在なレバー本体８１と、レバー本体の前端に設けられ、コンロ本体前方に突出する操作摘み８２とを備える。操作摘みを前面に沿って直線移動自在に支持する案内手段８３を備え、操作摘みとレバー本体との一方に設けた突起部８１ａを他方に設けた前後方向にのびる長孔８２５に摺動自在に係合して、操作摘みの直線移動に追従してレバー本体が揺動するように操作摘みとレバー本体とが連結される。【選択図】  図２
2010196958.tif 000002
【特許請求の範囲】
【請求項１】
加熱調理器の器体に設けた熱源から発生する熱量を調節する加熱調理器用の操作レバーであって、
器体内から器体の前面側にのびる揺動自在なレバー本体と、前記レバー本体の前端に設けられ、器体前方に突出する操作摘みとを備えるものにおいて、
前記操作摘みを器体前面に沿って直線移動自在に支持する案内手段を備え、
前記操作摘みとレバー本体との一方に設けた突起部を他方に設けた前後方向にのびる長孔に摺動自在に係合して、操作摘みの直線移動に追従してレバー本体が揺動するように操作摘みとレバー本体とが連結されることを特徴とする加熱調理器用の操作レバー。
【請求項２】
前記案内手段は、前記操作摘みの後半部が挿入され、前記直線移動方向に長手のガイド孔を有する枠体で構成され、枠体に、ガイド孔の前部で前記直線移動方向にのびる第１ガイドレール部と、ガイド孔の後部で前記直線移動方向にのびる第２ガイドレール部とが設けられ、
前記操作摘みに、前後方向に離隔して第１ガイドレール部に摺動自在に係合する第１係合部と、第２ガイドレール部に摺動自在に係合する第２係合部とが設けられることを特徴とする請求項１記載の加熱調理器用の操作レバー。
【請求項３】
前記第１係合部は、第１ガイドレール部の前面に係合するように形成され、
前記第２係合部は、操作摘みをガイド孔に前方から挿入したときに、弾性的に撓んで第２ガイドレール部を潜り抜けて第２ガイドレール部の後面に係合する爪片で形成され、
前記長孔の一端は、操作摘みをガイド孔に前方から挿入したときに前記突起部が長孔に挿入されるように開放されていることを特徴とする請求項２記載の加熱調理器用の操作レバー。
【発明の詳細な説明】
【技術分野】
【０００１】
本発明は、加熱調理器の器体に設けた熱源から発生する熱量を調節するための加熱調理器用の操作レバーに関する。
【背景技術】
【０００２】
加熱調理器、例えばガスコンロでは、熱源たるガスバーナへの燃焼ガスの供給を制御するためにバルブユニットが設けられている。バルブユニットは、ガスコンロの器具本体前面に配置された点消火ボタンにより開閉操作される開閉弁と、ガス流量を調節する絞り弁とを有する。この絞り弁の弁体を操作するために操作レバーが設けられている。
【０００３】
従来、この種の操作レバーとして、器体内から器体の前面側にのびる揺動自在なレバー本体の前端に操作摘みを固定し、この操作摘みを、器体前面に形成した長孔を通して器体前方に突出させたものが特許文献１で知られている。
【０００４】
然しながら、上記特許文献１記載のような操作レバーでは、ガスコンロ等の平坦な前面パネルに設けられていると、使用者が操作摘みを長孔に沿って直線的にスライド操作させようとしても、レバー本体の揺動に伴いこの操作摘みが円弧運動してしまい、前面パネルからの突出量が変化し、操作に違和感を与えてしまう。また、レバー本体の揺動途中でレバー本体の一部が前面パネルの前方に突出してレバー本体の地肌が露出してしまうこともあり、見栄えが悪く、デザイン性に劣る。
【先行技術文献】
【特許文献】
【０００５】
【特許文献１】特開２００５−３３１１６１号公報
【発明の概要】
【発明が解決しようとする課題】
【０００６】
本発明は、以上の点に鑑み、平坦な前面パネルに設けても、違和感なく操作できて操作性がよく、デザイン性も良い加熱調理器用の操作レバーを提供することをその課題とする。
【課題を解決するための手段】
【０００７】
上記課題を解決するために、本発明は、加熱調理器の器体に設けた熱源から発生する熱量を調節する加熱調理器用の操作レバーであって、器体内から器体の前面側にのびる揺動自在なレバー本体と、前記レバー本体の前端に設けられ、器体前方に突出する操作摘みとを備えるものにおいて、前記操作摘みを器体前面に沿って直線移動自在に支持する案内手段を備え、前記操作摘みとレバー本体との一方に設けた突起部を他方に設けた前後方向にのびる長孔に摺動自在に係合して、操作摘みの直線移動に追従してレバー本体が揺動するように操作摘みとレバー本体とが連結されることを特徴とする。
【０００８】
本発明によれば、案内手段を設けて操作摘みが直線上を往復動する構成とし、操作摘みとレバー本体との一方に設けた突起部を他方に設けた前後方向にのびる長孔に摺動自在に係合して操作摘みとレバー本体とを連結したため、ガスコンロ等の平坦な前面パネルに設けても、この操作摘みを往復動させて操作する間、前面パネルからの突出量が変わらない。このため、違和感なく操作できて操作性が良く、しかも、レバー本体が器体前方に突出することがなくデザイン性も良い。なお、レバー本体の揺動でその前端の位置は前後方向に変位するが、この変位は長孔に対する突起部の前後方向の摺動で吸収される。従って、操作摘みの直線運動に追従してレバー本体が支障なく揺動し、熱源から発生する熱量の調節機能が損なわれることがない。
【０００９】
また、本発明において、前記案内手段は、前記操作摘みの後半部が挿入され、前記直線移動方向に長手のガイド孔を有する枠体で構成され、枠体に、ガイド孔の前部で前記直線移動方向にのびる第１ガイドレール部と、ガイド孔の後部で前記直線移動方向にのびる第２ガイドレール部とが設けられ、前記操作摘みに、前後方向に離隔して第１ガイドレール部に摺動自在に係合する第１係合部と、第２ガイドレール部に摺動自在に係合する第２係合部とが設けられることが望ましい。これによれば、操作摘みが案内手段に前後方向の支持スパンを存して支持されることになり、傾きを生ずることなく安定して操作摘みを直線移動させることができ、操作性が向上する。
【００１０】
更に、本発明において、前記第１係合部は、第１ガイドレール部の前面に係合するように形成され、前記第２係合部は、操作摘みをガイド孔に前方から挿入したときに、弾性的に撓んで第２ガイドレール部を潜り抜けて第２ガイドレール部の後面に係合する爪片で形成され、前記長孔の一端は、操作摘みをガイド孔に前方から挿入したときに前記突起部が長孔に挿入されるように開放されていることが望ましい。これによれば、レバー本体に操作摘みを前方からの押し込みで容易に組み付けることができ、しかも、レバー本体の前端に操作摘みを一旦組み付けると、操作摘みが前方に引っ張られても操作摘みが簡単に脱離することはない。
【図面の簡単な説明】
【００１１】
【図１】本発明の操作レバーを備えたガスコンロを説明する斜視図。
【図２】ガスコンロの断面図。
【図３】レバー本体と操作摘みの連結状態を説明する底面図。
【図４】操作レバーの組付けを説明する分解斜視図。
【発明を実施するための形態】
【００１２】
以下、図面を参照して、本発明の実施形態の操作レバーについて、加熱調理器をガスコンロとし、ガスコンロの熱源たるガスバーナへの燃焼ガスの供給量を調節するために適用した例を説明する。
【００１３】
図１に示すように、ガスコンロ１は、図示省略のシステムキッチンのカウンタトップに吊設されるドロップイン式のものであり、上面を開放した箱状のコンロ本体（器体）１ａを備える。コンロ本体１ａの上面は耐熱性ガラスや金属板からなる天板２で覆われている。天板２にはコンロ本体１ａに設けられたガスバーナ３を臨ませる開口部（本実施形態では３個）が形成されている。ガスバーナ３には、開口部を覆うカバーリング３ａが設けられ、そして、天板２上には、カバーリング３ａを囲うようにして五徳４が載置されている。また、コンロ本体１ａ前面側中央には、コンロ本体１ａ内に設けた図示省略のグリル庫を開閉するグリル扉５が設けられている。
【００１４】
図２を参照して、コンロ本体１ａ内には、ガスバーナ３への燃料ガスの供給を制御するバルブユニット６が設けられている。バルブユニット６は、開閉弁、電磁安全弁及びガス流量調節用の絞り弁を組み込んだ公知のものであり、ここではその詳細な説明を省略する。そして、開閉弁及び電磁安全弁を操作する点消火ボタン７と、絞り弁用の操作ピン６ａを前後方向に進退する操作レバー８とが、グリル扉５の両側でコンロ本体１前面に設けられている。以下に、本発明の実施形態の操作レバー８を説明する。
【００１５】
図２乃至図４を参照して、操作レバー８は、その一端がバルブユニット６の上面に軸支され、コンロ本体１ａの前方にのびる横方向に揺動自在なレバー本体８１と、レバー本体８１の前端に設けられ、コンロ本体１ａ前面に形成された横方向に長手の長孔１１を通してコンロ本体１ａから突出させた操作摘み８２とを備える。そして、操作摘み８２が、コンロ本体１ａ内に設けた案内手段８３によりコンロ本体１前面に沿って横方向に直線移動自在に支持される。
【００１６】
案内手段８３は、横方向に長手のガイド孔８３ａを有する枠体で構成され、このガイド孔８３ａには、後述のように操作摘み８１の後半部たる基端部８２ａが挿入されるようになっている。ガイド孔８３ａの前側上辺には、横方向にのびる段差部８３ｂが形成され、この段差部８３ｂで第１ガイドレール部が構成される。ガイド孔８３ａの後部でその上下の内壁にもまた、それぞれ横方向にのびる突条８３ｃ、８３ｄが形成され、これらの突条８３ｃ、８３ｄで第２ガイドレール部が構成される。突条８３ｃ、８３ｂは、その前面側が傾斜面に形成され、その後面が直角面に形成されている。また、ガイド孔８３ａの下側には、後方にのびる筒状部材８３ｅが設けられている。なお、図１中、グリル扉５の左側に示すように、２個のバルブユニット６を操作するために２本の操作レバー８が並設されているような場合には、案内手段８３は、各操作摘み８２をそれぞれ直線移動自在に支持するように一体に形成することができる。
【００１７】
操作摘み８２は、後端を開放した中空で平面視矩形の基端部８２ａと、基端部８２ａの前端から前方にのびる舌片状のつまみ部８２ｂとを備えている。基端部８２ａ上面で前側の両隅には円柱状の突片８２１が形成され、突片８２１で段差部８３ｂに摺動自在に係合する第１係合部が構成される。基端部８２ａ下面で前側の両隅にもまた、円柱状の突片８２２が形成され、ガイド孔８３ａの内壁面を摺接するようになっている。
【００１８】
図３及び図４に示すように、基端部８２ａの後側でその上面及び下面には、所定の間隔を存して後端から前方に向かってのびる左右一対のスリット８２３が形成されている。スリット８２３の内側に位置してその外表面には２個の鉤状の爪片８２４、８２４が形成され、爪片８２４、８２４で突条８３ｃ、８３ｄにそれぞれ摺動自在に係合する第２係合部が構成される。なお、爪片８２４、８２４の突条８３ｃ、８３ｄに係合する部分は、平面視円弧状に形成されている。また、基端部８２ａの下面中央には前後方向にのび、その後端が開放された長孔８２５が形成されている。なお、本実施形態では、長孔８２５が直線状にのびているが、これに限定されるものではなく、例えば、前後方向に円弧状にのびるように形成することもできる。
【００１９】
レバー本体８１の前端部下面には、長孔８２５に摺動自在に係合する突起部８１ａが設けられている。突起部８１ａは、レバー本体８１のプレス成形等に形成することができ、また、真鍮製のピン等をかしめ固定して構成することができる。レバー本体８１には、上述の絞り弁用の操作ピン６ａが係合するカム孔８１ｂが形成されている。
【００２０】
次に、本発明の操作レバー８のコンロ本体１ａへの組付を説明する。先ず、ガイド孔８３ａがコンロ本体１ａの長孔１１を臨むように位置決めしてコンロ本体１ａの前面裏側に案内手段８３を取り付け、筒状部材８３ｅの端部をバルブユニット６の前壁に設けたピン６１に嵌合することで支持する。
【００２１】
次に、レバー本体８１の前端部を案内手段８３のガイド孔８３ａに挿入させ、操作ピン６ａ上端をカム孔８１ｂに挿通させた状態で、レバー本体８１の後端部をバルブユニット６上面の所定位置に軸支する。そして、コンロ本体１ａの長孔１１を通して前方からレバー本体８１の前端に操作摘み８２を装着する。ここで、基端部８２ａの長孔８２５の後端が開放されているため、レバー本体８１の突起部８１ａが長孔８２５にその後端から挿入される。
【００２２】
この状態で操作摘み８２を更に後方に押し込んでいくと、基端部８２ａの両スリット８２３の内側部分が弾性的に撓んで上下の両爪片８２４、８２４が突条８３ｃ、８３ｄを潜り抜けて、基端部８２ａの両爪片８２４、８２４が突条８３ｃ、８３ｄの垂直な後面に係合すると共に、基端部８２ａの突片８２１が段差部８３ｂの前面に摺動自在に係合する。これにより、操作摘み８２が案内手段８３により直線移動自在に支持される。
【００２３】
最後に、コンロ本体１ａに形成した長孔１１より上下方向の幅が小さく、操作摘み８２のつまみ部８２ｂの挿通が可能な幅を有する長孔９ａを形成した前面パネル９をコンロ本体１ａの前面に装着する。
【００２４】
以上説明したように、本実施形態では、コンロ本体１ａに取り付けた案内手段８３により操作摘み８２が直線移動する構成としたため、コンロ本体１ａの平坦な前面に設けても、この操作摘み８２を往復動させて操作する間、前面パネル９からの突出量が変わるものではないため、違和感なく操作できて操作性がよく、しかも、レバー本体８１がコンロ本体１ａ前方に突出することがなくデザイン性も良い。
【００２５】
なお、レバー本体８１の揺動でその前端の位置が前後方向に変位するが、この変位は、操作摘み８２に形成した長孔８２５に対するレバー本体８１の突起部８１ａの前後方向の摺動で吸収される。従って、操作摘み８２の直線運動に追従してレバー本体８１が支障なく揺動し、ガスバーナ３への燃料ガスの供給量の調節機能が損なわれることがない。
【００２６】
ところで、一般のガスコンロでは、点火不良を防止するために、点消火ボタン７を操作して点火操作する際、操作レバー８が中火位置となるようにレバー本体を移動させる機構が設けられている。このような場合、レバー本体８１の揺動に追従して操作摘み８２が直線移動して中火位置に移動される。
【００２７】
また、案内手段８３に段差部８３ｂと突条８３ｃ、８３ｄとを形成すると共に、操作摘み８２に、前後方向に離隔して段差部８３ｂに摺動自在に係合する突片８２１と、突条８３ｃ、８３ｄに摺動自在に係合する爪片８２４、８２４とを形成したため、操作摘み８２が案内手段８３に前後方向の支持スパンを存して支持されることになり、傾きを生ずることなく安定して操作摘み８２を直線移動させることができる。これにより、突片８２１及び爪片８２４、８２４の段差部８３ｂ及び突条８３ｃ、８３ｄとの係合箇所をそれぞれ円弧面することで摩擦抵抗が小さくなることと相俟って操作性を一層向上させることができる。
【００２８】
更に、操作摘み８２の長孔８２５の後端を開放すると共に、爪片８２４が弾性的に撓んで突条８３ｃ、８３ｄを潜り抜け、突条８３ｃ、８３ｄの垂直面に係合するようにしたため、レバー本体８１に操作摘み８２を前方からの押し込みで容易に組み付けることができ、また、レバー本体８１の前端に操作摘み８２を一旦組み付けると、操作摘み８２が前方に引っ張られても簡単に操作摘み８２が脱離することはない。
【００２９】
以上、本実施形態の操作レバー８についてガスコンロ１に適用した例を説明したが、本発明の操作レバーの用途はこれに限定されるものではなく、熱源として電気ヒータや電磁誘導コイルを用いた電気コンロ等の他の加熱調理器にも同様に適用できる。
【００３０】
また、上記実施形態では、レバー本体８１に突起部８１ａを設け、操作摘み８２の基端部８２ａに長孔８２５を形成し、レバー本体８１の揺動でその前端の位置が前後方向に変位したときにその変位を長孔８２５に対する突起部８１ａの前後方向の摺動で吸収したものを例に説明したが、操作摘みに突起部を設けると共に、レバー本体に長孔を形成して同様の効果を得るように構成することもできる。この場合、レバー本体に形成する長孔の前端を開放して、操作摘みの突起部が長孔にその前端から挿入されるようにする。
【００３１】
また、上記実施形態では、操作摘み８２がコンロ本体１ａ前面横方向に往復動するものを例に説明したが、これに限定されるものではなく、例えば鉛直方向に往復動するもの等、器体の前面を同一線上に往復動するものにも適用できる。
【符号の説明】
【００３２】
１・・・ガスコンロ（加熱調理器）、１ａ・・・コンロ本体（器体）、３・・・ガスバーナ（熱源）、８・・・操作レバー、８１・・・レバー本体、８１ａ・・・突起片、８２・・・操作摘み、８２１・・突片（第１係合部）、８２４・・・爪片（第２係合部）、８２５・・・長孔、８３・・・案内手段、８３ａ・・・ガイド孔、８３ｂ・・・段差部（第１ガイドレール部）、８３ｃ、８３ｄ・・・突条（第２ガイドレール部）
【図１】
2010196958.tif 000003
【図２】
2010196958.tif 000004
【図３】
2010196958.tif 000005
【図４】
2010196958.tif 000006